(57)【要約】【課題】  画像形成装置に用いられる定着装置の汎用性と安全性とを向上させることである。【解決手段】  第１定着装置１０ａと、第２定着装置１０ｂを選択的に搭載可能とし、搭載された定着装置の複数の温度センサＮＣ１、ＮＣ２、ＴＨ３、ＴＨ４からの温度検出信号に基づいて複数の温度異常信号Ｓ１１、Ｓ１２、Ｓ２１、Ｓ２２、Ｓ３１、Ｓ３２、Ｓ４１、Ｓ４２を算出する異常検知回路部２００と、複数の温度異常信号と定着装置セット信号Ｓｓ２と架台セット信号Ｓｓ３と、温度異常信号Ｓｅとに基づいて加熱手段の動作を強制的に停止する給電停止信号Ｓoffを算出する停止信号演算回路部３００とを備える画像形成装置１において、定着装置を識別する識別信号Ｓｓ１と識別信号に基づいて給電停止信号の算出に不要な信号を無効にする不要信号無効化回路部２３０とを備える。【選択図】図２
2005156688.tif 000002
【特許請求の範囲】
【請求項１】
異なる加熱手段を有する複数の定着装置を選択的に搭載可能とし、前記搭載された定着装置における加熱部材の複数の検出位置の温度を検出する温度検出手段と、検出された複数の温度検出信号に基づいて前記各検出位置での温度の異常を検出する温度異常検出手段と、前記搭載された定着装置を統括的に制御を行い前記加熱手段のＯＮ／ＯＦＦ制御の指示を行う駆動指示信号を出力し、複数の温度検出信号に基づいて温度の異常を検出する制御手段と、前記加熱手段への給電を遮断する遮断手段と、検出された複数の温度異常信号と駆動指示信号とに基づいて前記加熱手段の動作を強制的に停止させるか又は前記遮断手段に遮断動作を指示する停止信号を出力する停止信号出力手段と、を備えた画像形成装置において、
搭載された定着装置を識別するための識別信号を出力する識別信号出力手段と、
前記識別信号に基づいて、前記加熱手段の強制停止の判断に不要な温度異常信号を、前記搭載された定着装置に応じて無効化する不要信号無効化手段と、を備えたこと、
を特徴とする画像形成装置。
【請求項２】
請求項１に記載の画像形成装置において、
前記停止信号出力手段は、前記複数の温度異常信号に加えて、前記定着装置の架台のセット状態を示す架台セット信号、前記定着装置のセット状態を示す定着セット信号、前記温度検出手段の故障状態を示す故障検出信号、又は前記定着装置の駆動回路の接続状態を示す接続検出信号のいずれか若しくはそれらの組み合わせを入力として判断を行うこと、
を特徴とする画像形成装置。
【請求項３】
請求項１又は２に記載の画像形成装置において、
前記温度検出手段は、前記加熱部材の軸方向中央部又は端部のいずれか若しくはそれらの組み合せの位置に設置されていること、
を特徴とする画像形成装置。
【請求項４】
請求項１から３のいずれか一項に記載の画像形成装置において、
前記温度検出手段は、前記加熱部材に接触するセンサ又は非接触するセンサのいずれか若しくはそれらの組み合わせで構成されること、
を特徴とする画像形成装置。
【請求項５】
請求項１から４のいずれか一項に記載の画像形成装置において、
前記温度異常検出手段は、前記加熱部材の温度異常が高温異常又は低温異常のいずれか一方若しくはその両方を検出すること、
を特徴とする画像形成装置。
【請求項６】
請求項１から５のいずれか一項に記載の画像形成装置において、
前記停止信号出力手段は、前記複数の温度異常信号と前記駆動指示信号とに基づいて前記加熱手段のＯＮ／ＯＦＦを行う駆動信号を論理演算して算出し、前記加熱手段を駆動させる駆動手段に出力することにより、加熱手段を強制停止させるように構成したこと、
を特徴とする画像形成装置。
【請求項７】
請求項１から６のいずれか一項に記載の画像形成装置において、
前記停止信号出力手段は、前記複数の温度異常信号と前記駆動指示信号とに基づいて前記加熱手段のＯＮ／ＯＦＦを行う駆動信号を論理演算して算出して前記制御手段に出力し、制御手段は、入力された駆動信号に基づいて加熱手段の動作を強制的に停止させるか又は遮断手段に遮断動作を指示するように構成したこと、
を特徴とする画像形成装置。
【請求項８】
請求項１から７のいずれか一項に記載の画像形成装置において、
前記停止信号出力手段は、前記複数の温度異常信号に基づいた異常検知信号を論理演算して算出して前記制御手段に出力し、制御手段は、入力された異常検知信号に基づいて加熱手段の動作を強制的に停止させるか又は遮断手段に遮断動作を指示するように構成したこと、
を特徴とする画像形成装置。
【請求項９】
請求項１から８のいずれか一項に記載の画像形成装置において、
前記遮断手段は、前記加熱手段への電力供給路に設けられた給電遮断リレーに加え、サーモスタット又は温度ヒューズのいずれか若しくはそれらの組み合わせを備えること、
を特徴とする画像形成装置。
【請求項１０】
請求項１から９のいずれか一項に記載の画像形成装置において、
前記加熱手段は、ハロゲン加熱ヒータ、電磁誘導加熱ヒータ又はカーボンヒータであること、
を特徴とする画像形成装置。
【請求項１１】
電源からの供給電力を受け加熱手段を駆動させる駆動手段と、加熱手段により加熱される加熱部材と、を有する定着装置を備えた画像形成装置において、
前記加熱手段の動作状態を報知する報知手段を備えること、
を特徴とする画像形成装置。
【請求項１２】
請求項１から１０のいずれか一項に記載の画像形成装置において、
前記加熱手段の動作状態を報知する報知手段を備えること、
を特徴とする画像形成装置。
【請求項１３】
請求項１１又は１２に記載の画像形成装置において、
前記報知手段は、前記定着装置近傍又は前記定着装置架台内部に備えられていること、
を特徴とする画像形成装置。
【請求項１４】
請求項１１又は１２に記載の画像形成装置において、
前記報知手段は、前記画像形成装置に関する情報が表示される表示部に含まれること、
を特徴とする画像形成装置。
【請求項１５】
請求項１１から１４のいずれか一項に記載の画像形成装置において、
前記報知手段は、電流を流すと発光する半導体素子（ＬＥＤ；Light Emitting Diode）又は液晶ディスプレイ（ＬＣＤ；Liquid Crystal Display）のいずれか若しくはそれらの組み合わせであること、
を特徴とする画像形成装置。
【発明の詳細な説明】
【技術分野】
【０００１】
本発明は、複写機等の画像形成装置に係り、詳しくは、定着装置の安全設計に関する。
【背景技術】
【０００２】
画像形成装置には、記録媒体上のトナー画像を加熱により定着させる定着装置が設けられている。定着装置は、内側に加熱手段が設けられた加熱ローラと、この加熱ローラに圧接してニップ部を形成する加圧ローラとを備えている。
加熱ローラが過昇温となった場合、加熱ローラ及び周辺部材の発火等を防止するため、何らかの方法により加熱手段への電力供給を遮断する必要がある。
【０００３】
例えば、加熱ローラが過昇温となった場合、加熱手段への電力供給を遮断する方法として、温度センサからの温度検出情報を制御用ＣＰＵに入力し、センサからの温度検出信号が予め設定された温度を越えた場合、給電を遮断する定着装置が開示されている（特許文献１参照）。
【０００４】
しかしながら、制御用ＣＰＵが暴走した場合、加熱手段への通電を遮断することができないため、定着ローラの温度を検出する検温素子からの信号に基づいて回路を遮断するリレーを制御する信号を出力するＣＰＵと、検温素子からの信号に基づいてリレーを制御する信号を出力するコンパレータとの論理和を取り、論理和の出力によりリレーを制御する熱定着制御装置が開示されている（特許文献２参照）。
【０００５】
更に、加熱手段への通電遮断後、検出温度が低下すると再び加熱手段へ通電が行われてしまうため、異常高温が検知されると、コンパレータによって以後検出温度に係りなくヒータへの通電を遮断する強制ヒータ断回路を備えた記録装置が開示されている（特許文献３参照）。
【０００６】
また、定着温度（即ち、加熱ローラの温度）を二重監視する方法として、定着ヒータの通電制御と、パワー系のオン／オフ制御を行い、温度異常を検出すると、定着ヒータの通電を禁止すると共にパワー系の電源をオフするＭＰＵと、定着ヒータの温度が上昇した場合に、パワー系の電源を強制的にオフする温度過昇検出・制御手段とを備え、定着温度を二重監視する画像形成装置が開示されている。
【特許文献１】特開平５−１９７３１０号公報
【特許文献２】特開平５−３０７３４０号公報
【特許文献３】特開平８−２６２９２３号公報
【特許文献４】特開平１０−３０７５１４号公報
【発明の開示】
【発明が解決しようとする課題】
【０００７】
しかしながら、従来では、加熱ローラの温度を検出する温度センサは一つであり、この温度センサからの温度検出信号に基づいてＣＰＵなどの制御部を介して加熱手段を強制的に停止させる方法が用いられている。この方法では、ＣＰＵの制御暴走によって停止できない場合があり、安全面で不安がある。また、加熱手段への通電を遮断する要因として、加熱ローラの温度以外にも定着装置に係る各種信号を考慮し、定着装置全体に異常が無い場合のみ加熱手段が加熱されることが好ましい。
更に、異なる加熱手段を有する複数の定着装置が搭載可能な画像形成装置の場合、画像形成装置の使用環境等に応じた定着装置を搭載することがある。この場合、加熱手段毎に駆動回路や周辺回路を構成する必要があり、管理すべき部品数の増加によるコストの増大が懸念されている。
更に、従来、加熱ローラの加熱手段としてハロゲンランプが用いられていたが、近年、省エネルギー化を図るために、高エネルギー効率の加熱手段として、誘導コイルを用いた誘導加熱ヒータが採用されている。誘導コイルはハロゲンランプと異なり、通電されても発光せず、昇温速度が速いため、動作状況を目視して確認することができない。そのため、誘導コイルの動作中に誤って加熱ローラを触り火傷などをする危険があり、また、誘導コイルの駆動部は高電圧になるため、感電する危険もある。
【０００８】
本発明の課題は、画像形成装置に用いられる定着装置の汎用性と安全性とを向上させることである。
【課題を解決するための手段】
【０００９】
請求項１に記載の発明は、異なる加熱手段を有する複数の定着装置を選択的に搭載可能とし、前記搭載された定着装置における加熱部材の複数の検出位置の温度を検出する温度検出手段と、検出された複数の温度検出信号に基づいて前記各検出位置での温度の異常を検出する温度異常検出手段と、前記搭載された定着装置を統括的に制御を行い前記加熱手段のＯＮ／ＯＦＦ制御の指示を行う駆動指示信号を出力し、複数の温度検出信号に基づいて温度の異常を検出する制御手段と、前記加熱手段への給電を遮断する遮断手段と、検出された複数の温度異常信号と駆動指示信号とに基づいて前記加熱手段の動作を強制的に停止させるか又は前記遮断手段に遮断動作を指示する停止信号を出力する停止信号出力手段と、を備えた画像形成装置において、搭載された定着装置を識別するための識別信号を出力する識別信号出力手段と、前記識別信号に基づいて、前記加熱手段の強制停止の判断に不要な温度異常信号を、前記搭載された定着装置に応じて無効化する不要信号無効化手段と、を備えたこと、を特徴としている。
【００１０】
請求項２に記載の発明は、前記停止信号出力手段は、前記複数の温度異常信号に加えて、前記定着装置の架台のセット状態を示す架台セット信号、前記定着装置のセット状態を示す定着セット信号、前記温度検出手段の故障状態を示す故障検出信号、又は前記定着装置の駆動回路の接続状態を示す接続検出信号のいずれか若しくはそれらの組み合わせを入力として判断を行うこと、を特徴としている。
【００１１】
請求項３に記載の発明は、請求項１又は２に記載の画像形成装置において、前記温度検出手段は、前記加熱部材の軸方向中央部又は端部のいずれか若しくはそれらの組み合せの位置に設置されていること、を特徴としている。
【００１２】
請求項４に記載の発明は、請求項１から３のいずれか一項に記載の画像形成装置において、前記温度検出手段は、前記加熱部材に接触するセンサ又は非接触するセンサのいずれか若しくはそれらの組み合わせで構成されること、を特徴としている。
【００１３】
請求項５に記載の発明は、請求項１から４のいずれか一項に記載の画像形成装置において、前記温度異常検出手段は、前記加熱部材の温度異常が高温異常又は低温異常のいずれか一方若しくはその両方を検出すること、を特徴としている。
【００１４】
請求項６に記載の発明は、請求項１から５のいずれか一項に記載の画像形成装置において、前記停止信号出力手段は、前記複数の温度異常信号と前記駆動指示信号とに基づいて前記加熱手段のＯＮ／ＯＦＦを行う駆動信号を論理演算して算出し、前記加熱手段を駆動させる駆動手段に出力することにより、加熱手段を強制停止させるように構成したこと、を特徴としている。
【００１５】
請求項７に記載の発明は、請求項１から６のいずれか一項に記載の画像形成装置において、前記停止信号出力手段は、前記複数の温度異常信号と前記駆動指示信号とに基づいて前記加熱手段のＯＮ／ＯＦＦを行う駆動信号を論理演算して算出して前記制御手段に出力し、制御手段は、入力された駆動信号に基づいて加熱手段の動作を強制的に停止させるか又は遮断手段に遮断動作を指示するように構成したこと、を特徴としている。
【００１６】
請求項８に記載の発明は、請求項１から７のいずれか一項に記載の画像形成装置において、前記停止信号出力手段は、前記複数の温度異常信号に基づいた異常検知信号を論理演算して算出して前記制御手段に出力し、制御手段は、入力された異常検知信号に基づいて加熱手段の動作を強制的に停止させるか又は遮断手段に遮断動作を指示するように構成したこと、を特徴としている。
【００１７】
請求項９に記載の発明は、請求項１から８のいずれか一項に記載の画像形成装置において、前記遮断手段は、前記加熱手段への電力供給路に設けられた給電遮断リレーに加え、サーモスタット又は温度ヒューズのいずれか若しくはそれらの組み合わせを備えること、を特徴としている。
【００１８】
請求項１０に記載の発明は、請求項１から９のいずれか一項に記載の画像形成装置において、前記加熱手段は、ハロゲン加熱ヒータ、電磁誘導加熱ヒータ又はカーボンヒータであること、を特徴としている。
【００１９】
請求項１１に記載の発明は、電源からの供給電力を受け加熱手段を駆動させる駆動手段と、加熱手段により加熱される加熱部材と、を有する定着装置を備えた画像形成装置において、前記加熱手段の動作状態を報知する報知手段を備えること、を特徴としている。
【００２０】
請求項１２に記載の発明は、請求項１から１０のいずれか一項に記載の画像形成装置において、前記加熱手段の動作状態を報知する報知手段を備えること、を特徴ととしている。
【００２１】
請求項１３に記載の発明は、請求項１１又は１２に記載の画像形成装置において、前記報知手段は、前記定着装置近傍又は前記定着装置架台内部に備えられていること、を特徴としている。
【００２２】
請求項１４に記載の発明は、請求項１１又は１２に記載の画像形成装置において、前記報知手段は、前記画像形成装置に関する情報が表示される表示部に含まれること、を特徴としている。
【００２３】
請求項１５に記載の発明は、請求項１１から１４のいずれか一項に記載の画像形成装置において、前記報知手段は、電流を流すと発光する半導体素子（ＬＥＤ；Light Emitting Diode）又は液晶ディスプレイ（ＬＣＤ；Liquid Crystal Display）のいずれか若しくはそれらの組み合わせであること、を特徴としている。
【発明の効果】
【００２４】
請求項１に記載の発明によれば、複数の定着装置を識別する識別信号に基づいて、強制停止の判断に不要な温度異常信号を無効にする無効化手段を備えることにより、複数種類の定着装置（即ち、複数種類の加熱手段）を同一の回路で駆動可能な画像形成装置を実現することができるため、加熱手段毎に駆動回路や周辺回路を構成する必要がなくなり、管理すべき部品数の低減によるコストの減少が期待でき、また、画像形成装置の汎用性を向上させることができる。
【００２５】
請求項２に記載の発明によれば、停止信号出力手段は、複数の温度異常信号に加えて、架台セット信号、定着セット信号、故障検出信号、接続検出信号のいずれか若しくはそれらの組み合せを入力として判断することにより、全ての信号が正常である場合のみ、加熱手段を駆動させることができるため、画像形成装置の安全性を向上させることができる。
【００２６】
請求項３に記載の発明によれば、請求項１又は２と同様の効果を得られるのは勿論のこと、温度検出手段は、加熱部材の軸方向中央部又は端部のいずれか若しくはそれらの組み合せの位置に配置されていることにより、加熱部材の軸方向の温度分布異常を検出することができる。
【００２７】
請求項４に記載の発明によれば、請求項１から３のいずれか一項と同様の効果を得られるのは勿論のこと、温度検出手段が接触又は非接触に拘わらず、本発明の適応が可能となる。
【００２８】
請求項５に記載の発明によれば、請求項１から４のいずれか一項と同様の効果を得られるのは勿論のこと、温度異常検出手段は、加熱部材の高温異常又は低温異常のいずれか一方若しくは両方を検出することにより、温度異常をきめ細かく検出可能となる。
【００２９】
請求項６に記載の発明によれば、請求項１から５のいずれか一項と同様の効果を得られるのは勿論のこと、停止信号出力手段は、複数の温度異常信号と駆動指示信号とに基づいて駆動信号を論理演算して算出し、駆動手段に出力することにより、加熱手段を強制停止させるように構成したことにより、安全に加熱手段を駆動させることができる。
【００３０】
請求項７に記載の発明によれば、請求項１から６のいずれか一項と同様の効果を得られるのは勿論のこと、停止信号出力手段は、複数の温度異常信号と駆動指示信号とに基づいて駆動信号を論理演算して算出して制御手段に出力し、制御手段は、入力された駆動信号に基づいて加熱手段の動作を強制的に停止させるか又は遮断手段に遮断動作を指示するように構成したことにより、加熱手段がどのように駆動されているかを制御手段にて認識することができるため、制御手段側からも加熱手段を監視することができ、制御手段からの供給電力を停止させることも可能となり、画像形成装置の安全性を向上させることができる。
【００３１】
請求項８に記載の発明によれば、請求項１から７のいずれか一項と同様の効果を得られるのは勿論のこと、停止信号出力手段は、温度異常信号に基づいて異常検知信号を論理演算して算出して制御手段に出力し、制御手段は、入力された異常検知信号に基づいて加熱手段の動作を強制的に停止させるか又は遮断手段に遮断動作を指示するように構成したことにより、制御手段以外からの温度異常を認識することができるため、制御手段からの供給電力を停止させることも可能となり、画像形成装置の安全性を向上させることができる。
【００３２】
請求項９に記載の発明によれば、請求項１から８のいずれか一項と同様の効果を得られるのは勿論のこと、遮断手段を制御手段などのソフトウェアを介さずに加熱手段の動作を強制的に停止される給電遮断リレーに加え、サーモスタット又は温度ヒューズのいずれかもしくはその組み合わせを備えることにより、ソフトウェアの暴走などに影響を受けずに確実に停止させることができ、画像形成装置の安全性を向上させることができる。
【００３３】
請求項１０に記載の発明によれば、請求項１から９のいずれか一項と同様の効果を得られるのは勿論のこと、加熱手段としてハロゲン加熱ヒータ、電磁誘導加熱ヒータ、カーボンヒータを用いた定着装置を搭載することができる。
【００３４】
請求項１１に記載の発明によれば、加熱手段の動作状態を報知する報知手段を備えることにより、加熱手段の動作状況を容易に確認することができるため、加熱手段の動作中の事故を防止することができる。
【００３５】
請求項１２に記載の発明によれば、請求項１から１０と同様の効果を得られるのは勿論のこと、加熱手段の動作状態を報知する報知手段を備えることにより、加熱手段の動作状況を容易に確認することができるため、加熱手段の動作中の事故を防止することができる。
【００３６】
請求項１３に記載の発明によれば、請求項１１又は１２と同様の効果を得られるのは勿論のこと、報知手段を定着装置近傍又は定着装置架台内部に備えられていることにより、定着装置のメンテナンス等を行う際に、加熱手段の動作状況を容易に確認することができるため、加熱手段の動作中の事故を防止することができる。
【００３７】
請求項１４に記載の発明によれば、請求項１１又は１２と同様の効果を得られるのは勿論のこと、報知手段を画像形成装置に関する情報が表示されている表示部に含まれることにより、画像形成に係る機能と同様に加熱手段の動作状況を目視による確認をすることができるため、加熱手段の動作中の事故を防止することができる。
【００３８】
請求項１５に記載の発明によれば、請求項１１から１４のいずれか一項と同様の効果を得られるのは勿論のこと、報知手段は、半導体素子又は液晶ディスプレイであることにより、加熱手段の動作状況を目視により容易に確認をすることができるため、加熱手段の動作中の事故を防止することができる。
【発明を実施するための最良の形態】
【００３９】
以下、図を参照して本発明の実施の形態を詳細に説明する。
図１に、本発明の実施の形態における画像形成装置１の概略構成図を示す。
図１に示すように、画像形成装置１は、感光ドラム２０を備え、この感光ドラム２０の表面を帯電器２１により所定の電位に帯電し、露光手段２２により画像を露光して感光ドラム２０の表面に静電潜像を形成し、この潜像を現像器２３により現像剤（トナー）を用いて現像してトナー画像として可視化し、得られたトナー画像を感光ドラム２０に搬送された紙などの記録媒体Ｐに転写手段２４により転写する。トナー画像の転写が終了した感光ドラム２０は、その表面に残留した転写の残りのトナーをクリーナ２５により除去した後、つぎの画像形成に供される。
【００４０】
一方、トナー画像を担持した記録媒体Ｐは、感光ドラム２０から電磁誘導加熱ヒータを用いた定着装置（以下、第１定着装置と称す。）１０ａ又はハロゲン加熱ヒータを用いた定着装置（以下、第２定着装置と称す。）１０ｂに送られる。第１定着装置１０ａ又は第２定着装置１０ｂにおいて記録媒体Ｐ上の未定着トナー画像が定着され、記録媒体Ｐ上にプリント画像が得られる。
【００４１】
本発明の画像形成装置１は、第１定着装置１０ａと第２定着装置１０ｂとを、使用環境などに応じて、選択的に搭載可能な構成となっている。
【００４２】
第１定着装置１０ａは、加熱部材としての加熱ローラ１１ａと、この加熱ローラ１１ａに圧接してニップ部Ｎを形成する加圧ローラ１２ａと、加熱ローラ１１ａ内に設けられた加熱手段としての第１、２誘導コイル（図示略）と、第１定着装置１０ａの近傍に備えられた第１、２誘導コイルの動作中に点灯する報知手段としての表示ランプ１３ａから構成される。記録媒体Ｐ上のトナー画像は、加熱ローラ１１ａと加圧ローラ１２ａとの圧接部のニップＮを通過する際に定着される。なお、表示ランプ１３ａは、半導体素子（ＬＥＤ；Light Emitting Diode）を用いることが好ましい。
【００４３】
第２定着装置１０ｂは、加熱部材としての加熱ローラ１１ｂと、この加熱ローラ１１ｂに圧接してニップ部Ｎを形成する加圧ローラ１２ｂと、加熱ローラ１１ｂ内に設けられた加熱手段としてのハロゲンランプ（図示略）と、第２定着装置１０ｂの近傍に備えられたハロゲンランプの動作中に点灯する報知手段としての表示ランプ１３ｂから構成される。記録媒体Ｐ上のトナー画像は、加熱ローラ１１ｂと加圧ローラ１２ｂとの圧接部のニップＮを通過する際に定着される。なお、表示ランプ１３ｂは、半導体素子（ＬＥＤ；Light Emitting Diode）を用いることが好ましい。
【００４４】
加熱手段の動作状態を報知するＬＥＤを用いた表示ランプ１３ａ、１３ｂを備えることにより、加熱手段の動作状況を容易に確認することができ、また定着装置近傍に備えられていることにより、定着装置のメンテナンス等を行う際に、加熱手段の動作状況を目視により容易に確認することができるため、加熱手段の動作中の事故を防止することができる。
【００４５】
図２に、本実施の形態の第１定着装置１０ａと第２定着装置１０ｂとに係る概略制御構成図を示す。
図２に示すように、第１定着装置１０ａと第２定着装置１０ｂとの制御構成は、制御手段としての制御部１００と、同一基板上に搭載された温度異常検出手段としての異常検知回路部２００と停止信号出力手段としての停止信号演算回路部３００とを備え、制御部１００及び異常検知回路部２００からの各種信号に基づいて演算された給電停止信号Ｓoffが遮断手段としての給電遮断リレー回路部５０を動作させることによって、駆動手段としてのＩＨ（Induction Heating）ヒータ駆動部４００を介して定着装置架台４０内の第１定着装置１０ａ又は第２定着装置１０ｂへの電力供給を遮断する構成である。
【００４６】
定着装置架台４０は、ＩＨヒータ駆動部４００と第１定着装置１０ａ又は第２定着装置１０ｂを搭載可能としている。
定着装置架台４０は、定着装置架台４０のセット状態を示す架台セット信号としての架台セット信号Ｓｓ３を停止信号演算回路部３００に出力する。架台セット信号Ｓｓ３は、定着装置架台４０の画像形成装置１に対するセット状態、即ち、定着装置架台４０が画像形成可能な所定位置にセットされセットレバーがセット位置になっている状態かを示し、例えば、画像形成装置１内から第１定着装置１０ａのメンテナンスなどを行うために定着装置架台４０が引き出された状態では、画像形成を行う場合において支障をきたすおそれがある。
【００４７】
架台セット信号Ｓｓ３の演算論理としては、“Ｈ”の場合、定着装置架台４０がセットされている状態を示しこれを正常とし、“Ｌ”の場合、定着装置架台４０がセットされていない状態を示しこれを異常とする。
なお、本実施の形態では、架台セット信号Ｓｓ３が“Ｈ”の場合、正常である事を示し、“Ｌ”の場合、異常である事を示す論理とするが、“Ｈ”の場合、異常である事を示し、“Ｌ”の場合、正常である事を示す論理であってもよく、この限りでなくても良い。
【００４８】
ＩＨヒータ駆動部４００は、給電遮断リレー回路部５０を介して商用電源ＡＣから入力される交流電力を第１、２誘導コイルに誘導磁界を発生させるための交流電流に変換すると共に、停止信号演算回路部３００から入力された第１、２駆動信号Ｓfn1、Ｓfn2に基づいて第１、２誘導コイルへの駆動電流の供給を行う回路である。また、ＩＨヒータ駆動部４００が商用電源ＡＣからの電力供給路に存在しているかを示す識別信号Ｓｓ１を不要信号無効化回路部２３０に出力する識別信号出力手段としての識別信号出力回路部を有している。
【００４９】
ＩＨヒータ駆動部４００は、第１定着装置１０ａ固有の駆動部である。従って、ＩＨヒータ駆動部４００が存在しているか否かを検出する事により、存在している場合はＩＨヒータを用いた第１定着装置１０ａ、存在していない場合はハロゲンランプを用いた第２定着装置１０ｂと定着装置を識別することができるため、識別する識別信号Ｓｓ１を用いて定着装置を識別することができる。
【００５０】
識別信号Ｓｓ１の演算論理としては、“Ｈ”の場合、ＩＨヒータ駆動部４００が存在していない状態を示し（即ち、搭載された定着装置は、第２定着装置１０ｂであることを示す。）、“Ｌ”の場合、ＩＨヒータ駆動部４００が存在している状態を示す（即ち、搭載された定着装置は、第１定着装置１０ａであることを示す。）。
なお、本実施の形態では、識別信号Ｓｓ１が“Ｈ”の場合、搭載された定着装置は、第２定着装置１０ｂ、“Ｌ”の場合、第１定着装置１０を示す演算論理とするが、“Ｈ”の場合、第１定着装置１０ａ、“Ｌ”の場合、第２定着装置１０ｂである事を示す論理であってもよく、この限りでなくても良い。
【００５１】
第１定着装置１０ａは、加熱ローラ１１ａの中央部を加熱する第１誘導コイルと、端部を加熱する第２誘導コイルとを備えている（図示略）。そこで、加熱ローラ１１ａの温度を検出する複数の温度検出手段として、加熱ローラ１１ａの中央部の温度を検出する第１温度センサＮＣ１、加熱ローラ１１ａの端部の画像領域の温度を検出する第２温度センサＮＣ２、加熱ローラ１１ａの中央部の温度を検出する第３温度センサＴＨ３、加熱ローラ１１ａの端部の非画像領域の温度を検出する第４温度センサＴＨ４を備えている。
【００５２】
第１定着装置１０ａが搭載された場合、第１〜４温度センサＮＣ１、ＮＣ２、ＴＨ３、ＴＨ４からの温度検出信号としての第１〜４温度検出信号Ｓ１〜４は、異常検知回路部２００内のボルテージフォロワ２１０に出力される。また、第１定着装置１０ａは、第１定着装置１０ａとのセット状態を示す定着セット信号としての定着装置セット信号Ｓｓ２を停止信号演算回路部３００に出力する。第１定着装置１０ａのセット状態とは、第１定着装置１０ａが定着装置架台４０の所定位置にセットされているかを示し、例えば、定着装置架台４０から第１定着装置１０ａのメンテナンスなどを行うために第１定着装置１０ａを引き出された状態では、画像形成を行う場合において支障をきたすおそれがある。
【００５３】
定着装置セット信号Ｓｓ２の演算論理としては、“Ｈ”の場合、第１定着装置１０ａが所定位置にセットされている状態を示しこれを正常とし、“Ｌ”の場合、第１定着装置１０ａが所定位置にセットされていない状態を示しこれを異常とする。
なお、本実施の形態では、定着装置セット信号Ｓｓ２が“Ｈ”の場合、正常である事を示し、“Ｌ”の場合、異常である事を示す論理とするが、“Ｈ”の場合、異常である事を示し、“Ｌ”の場合、正常である事を示す論理であってもよく、この限りでなくても良い。
【００５４】
第２定着装置１０ｂは、加熱ローラ１１ｂの温度を検出する複数の温度検出手段として、加熱ローラ１１ｂの中央部の温度を検出する第５温度センサＴＨ５、加熱ローラ１１ｂの端部の温度を検出する第６温度センサＴＨ６を備えている。
【００５５】
第２定着装置１０ｂが搭載された場合、第５、６温度センサＴＨ５、６からの温度検出信号は、異常検知回路部２００内のボルテージフォロワ２１０に出力される。また、第２定着装置１０ｂは、第２定着装置１０ｂのセット状態を示す定着装置セット信号（図示略）を停止信号演算回路部３００に出力する。
第２定着装置１０ｂからの定着装置セット信号は、第１定着信号１０ａと同様の演算論理を有する信号であるため、図示及び説明は省略する。
【００５６】
温度検出手段としての第１〜６温度センサは、加熱ローラの外周側に非接触若しくは接触させて設置されており、例えばサーミスタ、熱電対、赤外センサなどの温度センサなどを用いることができ、加熱ローラの温度又は加熱ローラ近傍の温度を検知できるものであればよく、この限りではない。
【００５７】
加熱手段として電磁誘導加熱ヒータとハロゲンヒータとを採用した第１定着装置１０ａと第２定着装置１０ｂとに備えられる温度センサの数は、加熱方式毎に異ならせることにより、加熱方式毎に異なる加熱ローラの温度を、適切に検出することができるため、加熱方式毎の特有な温度異常に対して迅速に電力供給を停止させることができる。
【００５８】
以下、画像形成装置１の定着装置として、第１定着装置１０ａが搭載されている場合において説明する。
【００５９】
制御部１００は、第１、２定着装置１０ａ、１０ｂを統括的に制御し、画像形成装置１各部の動作の集中制御を行う。
また、ボルテージフォロア２１０から入力された第１〜４温度検出信号Ｓ１〜Ｓ４に基づいて、加熱ローラ１１ａの温度の異常を示す温度異常信号Ｓｅと、第１誘導コイルのＯＮ／ＯＦＦ制御の指示を行う駆動指示信号としての第１駆動指示信号Ｓfn1-Iと、第２誘導コイルのＯＮ／ＯＦＦ制御の指示を行う駆動指示信号としての第２駆動指示信号Ｓfn2-Iとを生成し、停止信号演算回路部３００に出力する。
【００６０】
温度異常信号Ｓｅの演算論理としては、“Ｈ”の場合、正常である事を示し、“Ｌ”の場合、異常である事を示す。
なお、本実施の形態では、温度異常信号Ｓｅが“Ｈ”の場合、正常である事を示し、“Ｌ”の場合、異常である事を示す論理とするが、“Ｈ”の場合、異常である事を示し、“Ｌ”の場合、正常である事を示す論理であってもよく、この限りでなくても良い。
【００６１】
第１駆動指示信号Ｓfn1-Iの演算論理としては、“Ｈ”の場合、第１誘導コイルへの通電を停止させる（ＯＦＦ）ことを示し、“Ｌ”の場合、第１誘導コイルへの通電を停止させない（ＯＮ）ことを示す。
なお、本実施の形態では、第１駆動指示信号Ｓfn1-Iが“Ｈ”の場合、ＯＦＦである事を示し、“Ｌ”の場合、ＯＮある事を示す論理とするが、“Ｈ”の場合、ＯＮである事を示し、“Ｌ”の場合、ＯＦＦ事を示す論理であってもよく、この限りでなくても良い。
第２駆動指示信号Ｓfn2-Iの演算論理も第１駆動指示信号Ｓfn1-Iの演算論理と同様であるため、説明は省略する。
【００６２】
更に、後述する停止信号演算回路部３００から駆動信号としての第１駆動信号Ｓfn1、第２駆動信号Ｓfn2と、異常検知信号としての第１異常検知信号ＳNC、第２異常検知信号ＳTHと、第１表示信号ＳLED1、第２表示信号ＳLED2とが入力される。
制御部１００は、第１駆動信号Ｓfn1と第２駆動信号Ｓfn2とが入力されると、第１、２誘導コイルがどのように駆動されているかを認識する。第１異常検知信号ＳNCと第２異常検知信号ＳTHとが入力されると、制御部１００内で検出した温度異常信号Ｓｅとは別の後述する複数の温度異常信号に基づいた定着装置の異常を認識する。第１表示信号ＳLED1と第２表示信号ＳLED2とが入力されると、第１表示信号ＳLED1と第２表示信号ＳLED2とに基づいて表示ランプ１３ａ又は表示ランプ１３ｂを点灯又は消灯させる。
【００６３】
なお、制御部１００は、第１定着装置１０ａ、第２定着装置１０ｂの固有の制御部であってもよく、また、画像形成装置１内の各部と相互に各種情報を送受信可能に接続されており、各部からの情報を受信し、受信した情報を判断して、判断結果である動作指示等の情報を各部に出力し、各部を統括している制御部に含まれるものでもよい。
【００６４】
異常検知回路部２００は、ボルテージフォロワ２１０と、高温／低温検知コンパレータ回路部２２０と、不要信号無効化回路部２３０とを備えている。
【００６５】
ボルテージフォロワ２１０は、選択された定着装置から入力される温度検出信号（図２では、第１定着装置１０ａから入力される第１〜４温度検出信号Ｓ１〜４）から入力される温度検出信号の精度を上げ、制御部１００と、高温／低温検知コンパレータ回路部２００に出力する。
【００６６】
高温／低温検知コンパレータ回路部２００は、ボルテージフォロワ２１０から入力された温度検出信号（図２では、第１〜４温度検出信号Ｓ１〜４）に基づいて、複数の温度異常信号としての高温異常信号と低温異常信号とを算出する。
【００６７】
高温異常信号と低温異常信号とは、例えば、第１〜４温度センサＮＣ１、ＮＣ２、ＴＨ３、ＴＨ４としてサーミスタを用いた場合、第１〜４温度検出信号Ｓ１〜４の値はサーミスタの抵抗値の変化を電圧として監視することで温度を確認している。コンパレータを用いてある所定の電圧値（閾値）より高い／低いを判断することで高温／低温を検知することができる。また、第１〜４温度センサＮＣ１、ＮＣ２、ＴＨ３、ＴＨ４が断線した場合はサーミスタの抵抗値は無限大となり（オープン状態）、ショートした場合はゼロとなる（ショート状態）。
このことより、高温異常信号は、第１〜４温度センサＮＣ１、ＮＣ２、ＴＨ３、ＴＨ４から検出された温度が所定の温度より高い場合又はショートした場合のいずれか一方若しくは両方の場合を検知することができる。低温異常信号は、第１〜４温度センサＮＣ１、ＮＣ２、ＴＨ３、ＴＨ４から検出された温度が所定の温度より低い場合又は断線した場合のいずれか一方若しくは両方の場合を検知することができる。
【００６８】
高温／低温検知コンパレータ回路部２００から算出される複数の異常信号及び異常信号の演算論理としては、
Ｓ１１：第１温度センサＮＣ１からの信号に基づく高温異常信号    Ｈ：正常  Ｌ：異常
Ｓ１２：  〃                                  低温異常信号    Ｈ：正常  Ｌ：異常
Ｓ２１：第２温度センサＮＣ２からの信号に基づく高温異常信号    Ｈ：正常  Ｌ：異常
Ｓ２２：  〃                                  低温異常信号    Ｈ：正常  Ｌ：異常
Ｓ３１：第３温度センサＴＨ３からの信号に基づく高温異常信号    Ｈ：正常  Ｌ：異常
Ｓ３２：  〃                                  低温異常信号    Ｈ：正常  Ｌ：異常
Ｓ４１：第４温度センサＴＨ４からの信号に基づく高温異常信号    Ｈ：正常  Ｌ：異常
Ｓ４２：  〃                                  低温異常信号    Ｈ：正常  Ｌ：異常
とする。各温度異常信号が“Ｈ”の場合、正常である事を示し、“Ｌ”の場合、異常である事を示す論理である。
【００６９】
なお、本実施の形態では、温度異常信号が“Ｈ”の場合、正常である事を示し、“Ｌ”の場合、異常である事を示す論理とするが、“Ｈ”の場合、異常である事を示し、“Ｌ”の場合、正常である事を示す論理であってもよく、この限りでなくてもよい。
【００７０】
加熱ローラの中央部及び端部の高温異常信号と低温異常信号とのいずれか一方もしくは両方を算出することにより、加熱ローラの軸方向の温度分布異常をきめ細かく検出することができる。
【００７１】
不要信号無効化回路部２３０は、高温／低温検知コンパレータ回路部２２０から入力される複数の温度異常信号Ｓ１１、Ｓ１２、Ｓ２１、Ｓ２２、Ｓ３１、Ｓ３２、Ｓ４１、Ｓ４２と、ＩＨヒータ駆動部４００からの識別信号Ｓｓ１とに基づいて、停止信号演算回路部３００において演算処理される不要な信号を無効にする。
不要信号無効化回路部２３０内で処理された温度異常信号Ｓ１１、Ｓ１２、Ｓ２１、Ｓ２２、Ｓ３１、Ｓ３２、Ｓ４１、Ｓ４２は、停止信号演算回路部３００に出力される。
【００７２】
停止信号演算回路部３００は、不要信号無効化回路部２３０から入力された複数の温度異常信号Ｓ１１、Ｓ１２、Ｓ２１、Ｓ２２、Ｓ３１、Ｓ３２、Ｓ４１、Ｓ４２と、第１定着装置１０ａから入力された定着装置セット信号Ｓｓ２と、定着装置架台４０から入力された架台セット信号Ｓｓ３と、制御部１００から入力された温度異常信号Ｓｅとに基づいて、停止信号としての給電停止信号Ｓoffを算出し、給電遮断リレー回路部５０へ出力する。
【００７３】
また、不要信号無効化回路部２３０から入力された複数の温度異常信号Ｓ１１、Ｓ１２、Ｓ２１、Ｓ２２、Ｓ３１、Ｓ３２、Ｓ４１、Ｓ４２と、第１定着装置１０ａから入力された定着装置セット信号Ｓｓ２と、定着装置架台４０から入力された架台セット信号Ｓｓ３と、制御部１００から入力された温度異常信号Ｓｅと、第１、２駆動指示信号Ｓｆｎ１−Ｉ、Ｓｆｎ２−Ｉとに基づいて、第１、２誘導コイルをＯＮ／ＯＦＦさせる第１、２駆動信号Ｓｆｎ１、Ｓｆｎ２と、第１、２表示信号ＳＬＥＤ１、ＳＬＥＤ２とを算出し、ＩＨヒータ駆動部４００に出力する。
【００７４】
停止信号演算回路部３００から出力される信号の演算論理としては、
Ｓoff  ：給電停止信号                                    Ｈ：ＯＦＦ  Ｌ：ＯＮ
“Ｈ”：給電遮断リレー回路部５０を動作させ、供給電力を遮断する。
“Ｌ”：給電遮断リレー回路部５０を動作させない
Ｓfn1  ：第１駆動信号                                    Ｈ：ＯＦＦ  Ｌ：ＯＮ
“Ｈ”：第１誘導コイルへの通電を停止させる
“Ｌ”：第１誘導コイルへ通電させる
Ｓfn2  ：第２駆動信号                                    Ｈ：ＯＦＦ  Ｌ：ＯＮ
“Ｈ”：第１誘導コイルへの通電を停止させる
“Ｌ”：第１誘導コイルへ通電させる
ＳNC    ：第１異常検知信号                                  Ｈ：異常  Ｌ：正常
ＳTH    ：第２異常検知信号                                  Ｈ：異常  Ｌ：正常
ＳLED1：第１表示信号                                        Ｈ：点灯  Ｌ：消灯
ＳLED2：第２表示信号                                        Ｈ：点灯  Ｌ：消灯
とする。
【００７５】
なお、本実施の形態では、各信号が“Ｈ”の場合、それぞれＯＦＦ、異常、点灯である事を示し、“Ｌ”の場合、それぞれＯＮ、正常、消灯である事を示す論理とするが、“Ｈ”の場合、それぞれＯＮ、正常、消灯である事を示し、“Ｌ”の場合、それぞれＯＦＦ、異常、点灯である事を示す論理であってもよく、この限りでなくてもよい。
【００７６】
給電遮断リレー回路部５０は、商用電源ＡＣからの交流電力を、停止信号演算回路部３００からの給電停止信号Ｓoffに基づいて遮断する。
なお、本実施の形態では、給電遮断リレーを用いて加熱手段への電力供給を遮断する構成としているが、更にサーモスタット又は温度ヒューズのいずれか若しくはそれらを組み合わせた構成を加えてもよく、給電停止信号Ｓoffに基づいて加熱手段への電力供給を遮断する構成であればこの限りでなくてもよい。
【００７７】
図３に、不要信号無効化回路部２３０の回路構成例と、停止信号演算回路部３００の回路構成例とを示す。
まず、不要信号無効化回路部２３０の回路構成例について説明する。
【００７８】
本実施の形態では、第１定着装置１０ａに備えられた第１〜４温度センサＮＣ１、ＮＣ２、ＴＨ３、ＴＨ４からの第１〜４温度検出信号Ｓ１〜４に基づく複数の温度異常信号Ｓ１１、Ｓ１２、Ｓ２１、Ｓ２２、Ｓ３１、Ｓ３２、Ｓ４１、Ｓ４２は８個算出される。一方、第２定着装置１０ｂに備えられた第５、６温度センサＴＨ５、ＴＨ６からの温度検出信号に基づく複数の温度異常信号は４個算出されるとする。
【００７９】
停止信号演算回路部３００は、複数の温度異常信号に基づいて給電停止信号Ｓoffを算出するため、入力される温度異常信号の最大数に対応した入力端子Ａ１、Ａ２、Ｂ１、Ｂ２、Ｃ１、Ｃ２、Ｄ１、Ｄ２（ここでは８個）を有する。
しかしながら、従来の不要信号無効化回路部２３０が無い場合は、第２定着装置１０ｂが選択された際、入力される温度異常信号は４個であるため、不要となる４個の端子は、接続されるセンサが存在せず開放端となってしまうため、演算論理が固定せず悪影響を及ぼすおそれがあった。
【００８０】
そこで、本発明では、選択される定着装置に応じて不要となる信号を無効にする不要信号無効化回路部２３０を設置している。
【００８１】
停止信号演算回路部３００の入力端子Ａ１、Ａ２、Ｂ１、Ｂ２、Ｃ１、Ｃ２、Ｄ１、Ｄ２のうち、入力端子Ａ１、Ａ２、Ｃ１、Ｃ２を第１定着装置１０ａと第２定着装置１０ｂと共用の入力端子とし、入力端子Ｂ１、Ｂ２、Ｄ１、Ｄ２は、第１定着装置１０ａのみ使用すると設定する。そこで、入力端子Ｂ１、Ｂ２、Ｄ１、Ｄ２は、第２定着装置１０ｂが選択された場合、どのような信号が入力されても無効とする必要がある。
【００８２】
入力端子Ｂ１、Ｂ２、Ｄ１、Ｄ２に入力される信号を無効にするには、識別信号Ｓｓ１と入力される信号とに基づいて、第２定着装置１０ｂが搭載された場合には、入力される信号に係らず常に正常論理を出力する構成とする。
【００８３】
図３の不要信号無効回路部では、ＯＲ回路を用いて、ＯＲ回路の入力側に識別信号Ｓｓ１と入力される信号との論理和をとり、第１定着装置１０ａが搭載された場合は、ＯＲ回路の入力側に識別信号Ｓｓ１と温度異常信号Ｓ２１、Ｓ２２、Ｓ４１、Ｓ４２との論理和をとり、温度異常信号Ｓ２１、Ｓ２２、Ｓ４１、Ｓ４２の信号を有効とし、第２定着装置１０ｂが搭載された場合には、入力される信号に係らず常に正常論理を出力する構成としている。
なお、ＡＮＤ回路やＮＯＴ回路を用いて構成してもよく、不要な信号を無効にすることが可能であればこの限りではない。
【００８４】
停止信号演算回路部３００の回路構成例を説明する。
まず、停止信号演算回路部３００は、不要信号無効回路部２３０から入力された複数の温度異常信号Ｓ１１、Ｓ１２、Ｓ２１、Ｓ２２、Ｓ３１、Ｓ３２、Ｓ４１、Ｓ４２は、ＡＮＤ回路を用いて複数の温度異常信号の演算信号Ｚ１として集約され、集約された信号は、温度センサの種類毎に第１異常検知信号ＳNC、第２異常信号ＳTHとして算出され、制御部１００に出力される。
【００８５】
なお、複数の温度異常信号を集約する方法の他の例として、コイルの配置（中央部、端部）毎などでもよく、制御部１００のポートに余裕がある場合には、特に集約する事無く異常検知信号が制御部１００へ出力されてもよい。
【００８６】
複数の温度異常信号Ｓ１１、Ｓ１２、Ｓ２１、Ｓ２２、Ｓ３１、Ｓ３２、Ｓ４１、Ｓ４２に基づいて複数の異常検知信号ＳNC、ＳTHを算出し、制御部１００に出力することにより、制御部１００以外からの温度異常を認識することができるため、制御部１００からの供給電力を停止させることも可能となり、画像形成装置１の安全性を向上させることができる。
【００８７】
次に、複数の温度異常信号の演算信号Ｚ１と、定着装置セット信号Ｓｓ２と、架台セット信号Ｓｓ３と、温度異常信号Ｓｅとを演算処理し、給電停止信号Ｓoffを算出し、給電遮断リレー回路部５０に出力する。
【００８８】
定着装置セット信号Ｓｓ２と、架台セット信号Ｓｓ３と、入力信号として用いることにより、第１定着装置１０ａ又は第２定着装置１０ｂが画像形成装置１に確実に画像形成可能な所定位置に搭載されている場合のみ、加熱手段を駆動させることができるため、画像形成装置１の安全性を向上させることができる。
【００８９】
温度異常信号Ｓｅを入力信号として用いることにより、制御部１００からの温度異常を検出でき、更に異なる側面からの第１定着装置１０ａ又は第２定着装置１０ｂの異常を判断することができるため、画像形成装置１の安全性を向上させることができる。
【００９０】
また、複数の温度異常信号の演算信号Ｚ１と、定着装置セット信号Ｓｓ２と、架台セット信号Ｓｓ３と、温度異常信号Ｓｅとを演算処理した演算信号Ｚ４と、第１、２駆動指示信号Sfn1-I、Sfn2-Iとを演算処理し、第１、２駆動信号Ｓfn1、Ｓfn2、表示信号ＳLED1、ＳLED2とを算出し、第１、２駆動信号Ｓfn1、Ｓfn2、をＩＨヒータ駆動部４００と制御部１００に出力し、第１、２表示信号ＳLED1、ＳLED2を制御部１００に出力する。
【００９１】
複数の温度異常信号の演算信号Ｚ１と、定着装置セット信号Ｓｓ２と、架台セット信号Ｓｓ３と、温度異常信号Ｓｅとを演算処理した演算信号Ｚ４（即ち、給電停止信号Ｓoff）に基づいて第１駆動信号Ｓfn1、第２駆動信号Ｓfn2を算出し、ＩＨヒータ駆動部４００に出力することにより、安全に第１、２誘導コイルをＯＮ／ＯＦＦさせることができる。
【００９２】
算出された第１駆動信号Ｓfn1、第２駆動信号Ｓfn2を制御部１００に出力することにより、加熱手段がどのように駆動されているかを制御部１００にて認識することができるため、制御部１００側からも加熱手段を監視することができ、制御部１００から供給電力を停止させることも可能となり、画像形成装置１の安全性を向上させることができる。
【００９３】
図３の停止信号演算回路部３００の回路構成例は、ＡＮＤ回路を用いて論理積をとって各信号を演算処理している構成としているが、ＯＲ回路、ＮＯＴ回路などを用いて構成されていてもよく、この限りではない。
【００９４】
なお、本実施の形態では、電磁誘導加熱ヒータを用いた第１定着装置１０ａと、ハロゲン加熱ヒータを用いた第２定着装置１０ｂとを搭載可能な場合の識別信号Ｓｓ１は、“Ｈ”、“Ｌ”（即ち、“１”、“０”）の１ｂｉｔの信号を用いて定着装置を識別しているが、更にカーボンヒータを用いた第３の定着装置を用いる場合においては、２ｂｉｔの識別信号を出力する識別信号出力回路を備えることで識別可能となる。識別すべき定着装置数に応じたｂｉｔ数の識別信号を用いることにより、更に複数の定着装置を識別することができる。
この場合、不要信号無効化回路部２３０は、例えば、ＯＲ回路を多段で組み合わせて構成することで、実現できる。
【００９５】
本実施の形態では、架台セット信号Ｓｓ３と定着装置セット信号Ｓｓ２とを用いて説明したが、温度センサの故障状態を示す故障信号又は定着装置の駆動回路の接続状態を示す接続状態検出信号のいずれか若しくはそれらの組み合せなどを用いてもよい。
【００９６】
本実施の形態では、報知手段として表示ランプ１３ａ、１３ｂを用いて説明したが、画像形成装置１に係る情報を表示するＬＣＤ（Liquid Crystal Display）などの液晶ディスプレイで構成された表示部の表示画面上に報知されてもよく、ＣＲＴ（Cathode Ray Tube）ディスプレイや、ＰＤＰ（Plasma Display Panel）ディスプレイ又はＥＬ（Electro Luminescence）ディスプレイ等でもよく、制御部１００から入力される指示信号に従って誘導コイルの動作状態を報知することができれば、画像形成に係る機能と同様に加熱手段の動作状況を目視による確認をすることができるため、加熱手段の動作中の事故を防止することができ構成であればこの限りではなくてもよい。
【００９７】
このように、複数の温度異常信号Ｓ１１、Ｓ１２、Ｓ２１、Ｓ２２、Ｓ３１、Ｓ３２、Ｓ４１、Ｓ４２と、定着装置セット信号Ｓｓ２と、架台セット信号Ｓｓ３と、温度異常信号Ｓｅに基づいて論理演算されて算出された給電停止信号Ｓoffに基づいて第１、２誘導コイルへの供給電力が遮断されることにより、制御部１００の制御暴走に係らず、第１定着装置１０ａが異常の場合、確実に停止させることができ、画像形成装置１の安全性を向上させることができる。
そして、識別信号Ｓｓ１に基づいて、強制停止の判断指示を行う給電停止信号Ｓoffの算出に不要な温度異常信号を無効にする不要信号無効化回路部２３０を備えることにより、第１定着装置１０ａと第２定着装置１０ｂとを同一の回路で駆動可能な画像形成装置１を実現することができるため、加熱手段毎に駆動回路や周辺回路を構成する必要がなくなり、管理すべき部品数の低減によるコストの減少が期待でき、また、画像形成装置１の汎用性を向上させることができる。
【００９８】
また、制御部１００を介さずに加熱手段の動作を強制的に停止するため、ソフトウェアの暴走などに影響を受けずに停止させることができ、画像形成装置１の安全性を向上させることができる。
【図面の簡単な説明】
【００９９】
【図１】本発明の実施の形態における画像形成装置１の概略構成図である。
【図２】第１、２定着装置１０ａ、１０ｂに係る概略制御構成図である。
【図３】不要信号無効化回路部２３０の回路構成例と、停止信号演算回路部３００の回路構成例である。
【符号の説明】
【０１００】
１  画像形成装置
１０ａ  第１定着装置
１０ｂ  第２定着装置
１１ａ、１１ｂ  加熱ローラ
１２ａ、１２ｂ  加圧ローラ
１３ａ  表示ランプ
１００  制御部
２０  感光ドラム
２１  帯電器
２２  露光手段
２３  現像器
２４  転写手段
２５  クリーナ
２００  異常検知回路部
２１０  ボルテージフォロワ
２２０  高温／低温検知コンパレータ回路部
２３０  不要信号無効化回路部
３００  停止信号演算回路部
４０  定着装置架台
４００  ＩＨヒータ駆動部
５０  給電遮断リレー回路部
Ａ１、Ａ２、Ｂ１、Ｂ２、Ｃ１、Ｃ２、Ｄ１、Ｄ２  入力端子
ＡＣ  商用電源
Ｎ  ニップ部
Ｐ  記録媒体
Ｓ１、Ｓ２、Ｓ３、Ｓ４  第１〜４温度検出信号
Ｓ１１、Ｓ１２、Ｓ２１、Ｓ２２、Ｓ３１、Ｓ３２、Ｓ４１、Ｓ４２  温度異常信号
Ｓｅ  温度異常信号
Ｓfn1、Ｓfn2  第１、２駆動信号
Ｓfn1-I、Ｓfn2-I  第１、２駆動指示信号
ＳLED1、ＳLED2  第１、２表示信号
ＳNC  第１異常検知信号
ＳTH  第２異常検知信号
Ｓoff  給電停止信号
Ｓｓ１  識別信号
Ｓｓ２  定着装置セット信号
Ｓｓ３  架台セット信号
【図１】
2005156688.tif 000003
【図２】
2005156688.tif 000004
【図３】
2005156688.tif 000005